(57)【要約】      （修正有）【課題】電極と電流を用いて大脳を刺激する脳部ヘルスケア装置を提供する。【解決手段】コンピュータに接続され、帽体１１０と、中左ブロックＡ７と、中右ブロックＡ３と、右後ブロックＡ４と、左後ブロックＡ８と、第一右前ブロックＡ１と、第二右前ブロックＡ２と、第一左前ブロックＡ５と、第二左前ブロックＡ６と、複数の電極１２０と、電源線を含む、脳部ヘルスケア装置１００を提供する。帽体１１０は人間の頭に対応する形状を有する。中右ブロックＡ３、中左ブロックＡ７、右後ブロックＡ４、左後ブロックＡ８、第一右前ブロックＡ１、第二右前ブロックＡ２、第一左前ブロックＡ５、第二左前ブロックＡ６のそれぞれの中に電極１２０が配置される。電源線がコンピュータ及び電極１２０と接続し、かつ電極１２０から電流を放出させる。また、コンピュータは電極の極性変化を制御する。【選択図】図２
2019118795.tif 000002
【特許請求の範囲】
【請求項１】
コンピュータに接続される脳部ヘルスケア装置であって、
人体の頭に対応する形状を有する帽体と、
前記帽体の内側の後方の左側に配置される中左ブロックと、
前記帽体の内側の後方の右側に配置される中右ブロックと、
前記帽体の右後ろの内側に配置される右後ブロックと、
前記帽体の左後ろの内側に配置される左後ブロックと、
前記帽体の右前の内側に配置される第一右前ブロックと、
前記第一右前ブロックと前記右後ブロックとの間に配置される第二右前ブロックと、
前記帽体の左前の内側に配置される第一左前ブロックと、
前記第一左前ブロックと前記左後ブロックとの間に配置される第二左前ブロックと、
前記中右ブロック、前記中左ブロック、前記右後ブロック、前記左後ブロック、前記第一右前ブロック、前記第二右前ブロック、前記第一左前ブロック、前記第二左前ブロックのそれぞれの中に配置される、複数個の電極と、
前記コンピュータ及び前記電極と接続し、前記電極から電流を放出させる電源線と、を含み、
前記コンピュータは前記電極の極性変化の制御に適用し、前記電極の正極と負極の変化モードは、前記第二右前ブロックの中の前記電極が正極となり、前記第二左前ブロックの中の前記電極が負極となることを含むことを特徴とする脳部ヘルスケア装置。
【請求項２】
前記中左ブロックと前記中右ブロックのそれぞれの中に８つの前記電極が配置され、前記右後ブロックと前記左後ブロックのそれぞれの中に８つの前記電極が配置され、前記第一右前ブロック、前記第二右前ブロック、前記第一左前ブロック及び前記第二左前ブロックのそれぞれの中に３つの前記電極が配置されることを特徴とする前記請求項１に記載の脳部ヘルスケア装置。
【請求項３】
前記電極は４つのプローブ電極を含むことを特徴とする前記請求項１に記載の脳部ヘルスケア装置。
【請求項４】
前記帽体はさらに調整構造と、左構造と、右構造とを有し、前記調整構造は前記左構造と前記右構造との間に配置され、前記調整構造は前記左構造と前記右構造との間の距離の調整に適用することを特徴とする前記請求項１に記載の脳部ヘルスケア装置。
【請求項５】
前記電極はさらに前記プローブ電極に配置されるプローブ用スプリングを含むことを特徴とする前記請求項３に記載の脳部ヘルスケア装置。
【請求項６】
前記電極の正極と負極の変化モードは、前記第一左前ブロックの中の前記電極が正極となり、前記第二左前ブロックの中の前記電極が負極となることと、前記第一右前ブロックの中の前記電極が正極となり、前記第二右前ブロックの中の前記電極が負極となることと、前記第一右前ブロックと前記第二右前ブロックの中の前記電極が正極となり、前記第一左前ブロックと第二左前ブロックの中の前記電極が負極となることを含むことを特徴とする前記請求項１に記載の脳部ヘルスケア装置。
【請求項７】
前記電極の正極と負極の変化モードは、前記第一右前ブロックの中の前記電極が正極となり、前記第一左前ブロックの中の前記電極が負極となることと、前記中右ブロックの中の前記電極が正極となり、前記中左ブロックの中の前記電極が負極となることと、前記右後ブロックの中の前記電極が正極となり、前記左後ブロックの中の前記電極が負極となることと、前記中右ブロックの中の前記電極が正極となり、前記左後ブロックの中の前記電極が負極となることと、前記右後ブロックと前記中右ブロックの中の前記電極が正極となり、前記左後ブロックと前記中左ブロックの中の前記電極が負極となることと、前記中右ブロックと前記中左の中の前記電極が正極となり、前記右後ブロックと前記左後ブロックの中の前記電極が負極となることを含むことを特徴とする前記請求項１に記載の脳部ヘルスケア装置。
【請求項８】
前記電極の正極と負極の変化モードは、前記第一左前ブロックの中の前記電極が正極となり、前記中左ブロックの中の前記電極が負極となることと、前記左後ブロックの中の前記電極が正極となり、前記中左ブロックの中の前記電極が負極となることと、前記右後ブロックの中の前記電極が正極となり、前記中右ブロックの中の前記電極が負極となることを含むことを特徴とする前記請求項１に記載の脳部ヘルスケア装置。
【発明の詳細な説明】
【技術分野】
【０００１】
本発明は、脳部ヘルスケア装置と関し、特に電極と電流を用いて大脳を刺激する脳部ヘルスケア装置と関する。
【背景技術】
【０００２】
大脳は人間の思考中枢であり、人間の大部分の知覚を管理している。そのため、長年の医学発展において、大脳はずっと研究の重点の一つである。近年の大脳の認知機能に関し、科学の進歩に従い、我々はより精密な測定設備によって客観的なデータを得るようになった。そこで、脳波（Electorencephalogram，EEG）は直接に大脳の活動を測定したものであり、大脳の皮質領域の状態を表すことができる。
【０００３】
経頭蓋直流電気刺激法（Transcranial Direct Current Stimulation：tDCs）は非侵襲的な治療方法であり、現在は広く色んな医学研究に応用されている。経頭蓋直流電気刺激法は、頭皮に電極を設けて電流を大脳の皮質に送り、大脳の皮質に電流の刺激を与える。ただし、現在経頭蓋直流電気刺激法について研究段階の例が多く、治療段階の例があまり見られない。
【０００４】
現代の人は文明の発展及び生活習慣の変化で沢山の文明病が出てくる。特に身体各部位の痛む症状である。今は薬物の治療以外に、鍼灸や按摩など物理的な治療方法が挙げられる。
【０００５】
発明者は長年の実務及び研究経験に基づいて、電流を用いて大脳を刺激することによって痛みや病気を避けるように身体をヘルスケアすることは検討する価値があると考える。
【発明の概要】
【発明が解決しようとする課題】
【０００６】
本発明は、人間の身体の痛む症状を緩和するために、多くの電極が配置され、電極の極性を変化させることによって電流が使用者の脳部の特定領域に経過させ、大脳皮質領域の機能を干渉する、脳部ヘルスケア装置を提供することを目的とする。
【課題を解決するための手段】
【０００７】
本発明に係る脳部ヘルスケア装置は、コンピュータに接続され、帽体と、中左ブロックと、中右ブロックと、右後ブロックと、左後ブロックと、第一右前ブロックと、第二右前ブロックと、を含む。中右ブロックは帽体の内側の後方の右側に配置され、右後ブロックは帽体の右後ろの内側に配置され、左後ブロックは帽体の左後ろの内側に配置され、第一右前ブロックは帽体の右前の内側に配置され、第二右前ブロックは第一右前ブロックと右後ブロックとの間に配置され、第一左前ブロックは帽体の左前の内側に配置され、第二左前ブロックは第一左前ブロックと左後ブロックとの間に配置される。中右ブロック、中左ブロック、右後ブロック、左後ブロック、第一右前ブロック、第二右前ブロック、第一左前ブロック、第二左前ブロックのそれぞれの中に電極が配置される。電源線はコンピュータ及び電極と接続し、かつ電極を電流を放出させる。また、コンピュータは電極の極性変化の制御に適用する。
【０００８】
前記脳部ヘルスケア装置において、中左ブロックと中右ブロックのそれぞれの中に８つの電極が配置され、右後ブロックと左後ブロックのそれぞれの中に８つの電極が配置され、第一右前ブロック、第二右前ブロック、第一左前ブロック及び第二左前ブロックのそれぞれの中に３つの電極が配置される。
【０００９】
前記脳部ヘルスケア装置において、電極は４つのプローブ電極を含む。
【００１０】
前記脳部ヘルスケア装置において、帽体はさらに調整構造と、左構造と、右構造とを有し、調整構造は左構造と右構造との間に配置され、調整構造は左構造と右構造との間の距離の調整に適用する。
【００１１】
前記脳部ヘルスケア装置において、電極はさらにプローブ電極に配置されるプローブ用スプリングを含む。
【００１２】
前記脳部ヘルスケア装置において、電極の正極と負極の変化モードは、第二右前ブロックの中の電極が正極となり、第二左前ブロックの中の電極が負極となることと、第一左前ブロックの中の電極が正極となり、第二左前ブロックの中の電極が負極となることと、第一右前ブロックの中の電極が正極となり、第二右前ブロックの中の電極が負極となることと、第一右前ブロックと第二右前ブロックの中の電極が正極となり、第一左前ブロックと第二左前ブロックの中の電極が負極となることを含む。
【００１３】
前記脳部ヘルスケア装置において、電極の正極と負極の変化モードは、第一右前ブロックの中の電極が正極となり、第一左前の中の電極が負極となることと、中右ブロックの中の電極が正極となり、中左ブロックの中の電極が負極となることと、右後ブロックの中の電極が正極となり、左後ブロックの中の電極が負極となることと、中右ブロックの中の電極が正極となり、左後ブロックの中の電極が負極となることと、右後ブロックと中右ブロックの中の電極が正極となり、左後ブロックと中左ブロックの中の電極が負極となることと、中右ブロックと中左ブロックの中の電極が正極となり、右後ブロックと左後ブロックの中の電極が負極となることを含む。
【００１４】
前記脳部ヘルスケア装置において、電極の正極と負極の変化モードは、第一左前ブロックの中の電極が正極となり、中左ブロックの中の電極が負極となることと、左後ブロックの中の電極が正極となり、中左ブロックの中の電極が負極となることと、右後ブロックの中の電極が正極となり、中右ブロックの中の電極が負極となることを含む。
【発明の効果】
【００１５】
本発明は、上記の構成を有することにより、人間の身体の痛む症状を緩和するために、多くの電極が配置され、電極の極性を変化させることによって電流が使用者の脳部の特定領域に経過させ、大脳皮質領域の機能を干渉する、脳部ヘルスケア装置を提供することができる。
【図面の簡単な説明】
【００１６】
【図１】本発明に係る脳部ヘルスケア装置を示す図である。
【図２】図２Ａは、下から上への仰視角度で本発明に係る脳部ヘルスケア装置を見る平面図であり、図２Ｂは、帽体を示す図である。
【図３Ａ】電極を示す図である。
【図３Ｂ】電極を示す図である。
【図４Ａ】電極の変化を示す図である。
【図４Ｂ】電極の変化を示す図である。
【図４Ｃ】電極の変化を示す図である。
【発明を実施するための形態】
【００１７】
本発明は、人間の身体の痛む症状を緩和するために、多くの電極が配置され、電極の極性を変化させることによって電流が使用者の脳部の特定領域に経過させ、大脳皮質領域の機能を干渉する、脳部ヘルスケア装置を提供することを目的とする。
【００１８】
図１を参照し、図１は本発明に係る脳部ヘルスケア装置を示す図である。脳部ヘルスケア装置１００は、帽体１１０と、複数の電極１２０と、電源線とを含む。帽体１１０は脳部ヘルスケア装置１００の主要構造であり、帽体１１０は人間の頭に対応する形状を有し、患者や使用者の着用に適する。帽体１１０の内側に複数の電極１２０が配置される。そこで、脳部ヘルスケア装置１００はコンピュータに接続され、コンピュータは電源線を通じて帽体１１０の中の電極１２０に接続され、電極１２０の極性変化を制御する。
【００１９】
図２Ａを参照し、図２Ａは下から上への仰視角度で本発明に係る脳部ヘルスケア装置を見る平面図である。帽体１１０の内側は複数のブロックに分けられ、これらのブロックのそれぞれの中に電極１２０が配置される。本実施例において、帽体１１０は第一右前ブロックＡ１と、第二右前ブロックＡ２と、中右ブロックＡ３と、右後ブロックＡ４と、第一左前ブロックＡ５と、第二左前ブロックＡ６と、中左ブロックＡ７と、左後ブロックＡ８とを含む。第一右前ブロックＡ１は帽体１１０の右前の内側に配置され、中右ブロックＡ３は帽体１１０の右後ろの内側に配置され、第二右前ブロックＡ２は第一右前ブロックＡ１と右後ブロックＡ４との間に配置され。第一左前ブロックはＡ５、帽体１１０の左前の内側に配置され、左後ブロックＡ７は帽体１１０の左後ろの内側に配置され、第二左前ブロックＡ６は第一左前ブロックＡ５と左後ブロックＡ８との間に配置され、中左ブロックＡ７は帽体１１０の内側の後方の左側に配置される。電極１１０は、第一右前ブロックＡ１、第二右前ブロックＡ２、中右ブロックＡ３、右後ブロックＡ４、第一左前ブロックＡ５、第二左前ブロックＡ６、中左ブロックＡ７及び左後ブロックＡ８のそれぞれの中に配置される。
【００２０】
その中に、第一右前ブロックＡ１と第一左前ブロックＡ５は人間の額の位置に対応し、それぞれ３つの電極が設けられる。第二右前ブロックＡ２と第二左前ブロックＡ６は人間のこめかみの位置に対応し、それぞれ３つの電極が設けられる。中右ブロックＡ３と中左ブロックＡ７は人間の頭頂葉の位置に対応し、それぞれ８つの電極が設けられる。右後ブロックＡ４と左後ブロックＡ８は人間の大脳の側頭葉の位置に対応し、それぞれ８つの電極が設けられる。そのため、左右両側は合計４４個の電極が設けられる。
【００２１】
図２Ｂを参照し、図２Ｂは帽体を示す図である。本実施例において、帽体１１０は右構造１１１と、左構造１１２及び調整構造１１３とを含む。調整構造１１３は右構造１１１と左構造１１２との間に配置され、調整構造１１３は右構造１１１と左構造１１２との間の距離の調整に適する。調整構造は例えば引張力で右構造１１１と左構造１１２との間を調整する、スプリングが挙げられる。右構造１１１と左構造１１２との間の距離を調整することによって脳部ヘルスケア装置１００を色々な着用者の頭の形状や大きさに対応させるとともに、電極１２０を着用者の頭皮と接触させる。
【００２２】
図３Ａと図３Ｂを参照し、図３Ａと図３Ｂは電極を示す図である。本実施例において、電極１２０はベース１２１と複数のプローブ電極１２２とを含む。本実施例において、合計四つのプローブ電極１２２が電極１２０に設けられる。プローブ電極の一端部は着用者の頭皮と接触し、他端部はベース１２１に接続され、ベース１２１はプローブ電極１２２の設置に適し、かつプローブ電極１２２の中にプローブ用スプリング１２３を含み、プローブ用スプリングはプローブ電極１２２を一定の範囲に移動させ、帽体１１０の重量によりプローブ電極を押し下げ、プローブ電極１２２を確実に頭皮と接触させるとともに、少しの圧力をかけてプローブ電極１２２を着用者の頭皮との接触状態を維持し、かつ異なる形状の頭に適用する。
【００２３】
コンピュータが電源線を通じて脳部ヘルスケア装置１００の電極１２０に接続され、コンピュータの制御プログラムを通じて各電極１２０の極性を転換する。つまり、電極１２０の正、負極の変化及び局部の電極のオンオフ制御によって、電流の方向を調整し、大脳の異なる部分に刺激を与え、大脳のヘルスケアという目的を果たす。
【００２４】
図４Ａ〜図４Ｃを参照する。図４Ａ〜図４Ｃは電極の変化を示す図である。本実施例において、電極１２０の正、負極の変化の仕組みと電流ルートは下記の通りである。
【００２５】
電流ルートＭ１(図４Ａ)：第一右前ブロックＡ１の電極を正極に、第一左前ブロックＡ５の電極を負極に転換する。その中でも第一右前ブロックＡ１の中の電極１、２、３を正極に転換し、第一左前ブロックＡ５の中の電極２３、２４、２５を負極に転換することが好ましい。電流ルートＭ１は胸つかえや胸痛の症状を緩和することができます。
【００２６】
電流ルートＭ２（図４Ａ）：左後ブロックＡ８の電極１を正極に転換し、中左ブロックＡ７の電極を負極に転換する。その中でも左後ブロックＡ８の中の電極２９、３３を正極に転換し、中左ブロックＡ７の中の電極３７、３8を負極に変換することが好ましい。電流ルートＭ２は右膝が痛む症状を緩和することができる。
【００２７】
電流ルートＭ３(図４Ａ)：右後ブロックＡ４の電極を正極に転換し、中右ブロックＡ３の電極を負極に転換する。その中でも右後ブロックＡ４の中の電極７、１１を正極に転換し、中右ブロックＡ３の中の電極１５、１６を負極に転換することが好ましい。電流ルートＭ３は左膝が痛む症状を緩和することができる。
【００２８】
電流ルートＭ４(図４Ｂ)：第一左前ブロックＡ５の電極を正極に転換し、中左ブロックＡ７の電極を負極に転換する。その中でも第一左前ブロックＡ５の中の電極２３、２４、２５を正極に転換し、中左ブロックＡ７の中の電極３７、３8を負極に転換することが好ましい。電流ルートＭ４は右腕が痛む症状を緩和することができる。
【００２９】
電流ルートＭ５（図４Ｂ）：第一右前ブロックＡ１の電極を正極に転換し、中右ブロックＡ３の電極を負極に転換する。その中でも第一右前ブロックＡ１の中の電極１、２、３を正極に転換し、中右ブロックＡ３の中の電極１５、１６を負極に転換することが好ましい。電流ルートＭ５は左腕が痛む症状を緩和することができる。
【００３０】
電流ルートＭ５（図４Ｂ）：第一右前ブロックＡ１の電極を正極に転換し、中右ブロックＡ３の電極を負極に転換する。その中でも第一右前ブロックＡ１の中の電極１、２、３を正極に転換し、中右ブロックＡ３の中の電極１５、１６を負極に転換することが好ましい。電流ルートＭ５は左腕が痛む症状を緩和することができる。
【００３１】
電流ルートＭ６（図４Ａ）：第二右前ブロックＡ２の電極を正極に転換し、第二左前ブロックＡ６の電極を負極に転換する。その中でも第二右前ブロックＡ２の中の電極４、５、６を正極に転換し、第二左前ブロックＡ６の中の電極２６、２７、２8を負極に転換することが好ましい。電流ルートＭ６は腰椎が痛む症状を緩和することができる。
【００３２】
電流ルートＭ７(図４Ａ)：中右前ブロックＡ３の電極を正極に転換し、中左ブロックＡ７の電極を負極に転換する。その中でも中右ブロックＡ３の中の電極１７、１8を正極に転換し、中左ブロックＡ７の中の電極３９、４０を負極に転換することが好ましい。電流ルートＭ７は胸椎が痛む症状を緩和することができる。
【００３３】
電流ルートＭ8(図４Ａ)：中右前ブロックＡ３の電極を正極に転換し、中左ブロックＡ７の電極を負極に転換する。その中でも中右ブロックＡ３の中の電極２１、２２を正極に転換し、中左ブロックＡ７の中の電極４３、４４を負極に転換することが好ましい。電流ルートＭ8は頸椎が痛む症状を緩和することができる。
【００３４】
電流ルートＭ９(図４Ｂ)：右後ブロックＡ４の電極を正極に転換し、左後ブロックＡ８の電極を負極に転換する。その中でも右後ブロックＡ４の中の電極8、１２を正極に転換し、左後ブロックＡ８の中の電極３０、３４を負極に転換することが好ましい。電流ルートＭ９は偏頭痛の症状を緩和することができる。
【００３５】
電流ルートＭ１０（図４Ｂ)：右後ブロックＡ４の電極を正極に転換し、左後ブロックＡ８の電極を負極に転換する。その中でも右後ブロックＡ４の中の電極９、１３を正極に転換し、左後ブロックＡ８の中の電極３１、３５を負極に転換することが好ましい。電流ルートＭ１０は額が痛む症状を緩和することができる。
【００３６】
電流ルートＭ１１（図４Ｂ）：右後ブロックＡ４の電極を正極に転換し、左後ブロックＡ８の電極を負極に転換する。その中でも右後ブロックＡ４の中の電極１０、１４を正極に転換し、左後ブロックＡ８の中の電極３２、３６を負極に転換することが好ましい。電流ルートＭ１１は後脳が痛む症状を緩和することができる。
【００３７】
電流ルートＭ１２（図４Ａ）：中右ブロックＡ３の電極を正極に転換し、中左ブロックＡ７の電極を負極に転換する。その中でも中右ブロックＡ３の中の電極１９、２０を正極に転換し、中左ブロックＡ７の中の電極４１、４２を負極に転換することが好ましい。電流ルートＭ１２は頭頂が痛む症状を緩和することができる。
【００３８】
電流ルートＭ１３（図４Ｃ)：中右ブロックＡ３及び右後ブロックＡ４の電極を正極に転換し、中左ブロックＡ７及び左後ブロックＡ８の電極を負極に転換する。その中でも中右ブロックＡ３の中の電極１９、２０及び右後ブロックＡ４の中の電極９、１３を正極に転換し、中左ブロックＡ７の中の電極４１、４２及び左後ブロックＡ８の中の電極３１、３５を負極に転換することが好ましい。電流ルートＭ１３は股関節が痛む症状を緩和することができる。
【００３９】
電流ルートＭ１４（図４Ｂ）：第一左前ブロックＡ５の電極を正極に転換し、第二左前ブロックＡ６の電極を負極に転換する。その中でも第一左前ブロックＡ５の中の電極２３、２４、２５を正極に転換し、第二左前ブロックＡ６の中の電極２６、２７、２8を負極に転換することが好ましい。電流ルートＭ１４は右手のひらが痺れる症状を緩和することができる。
【００４０】
電流ルートＭ１５（図４Ｂ)：第一右前ブロックＡ１の電極を正極に転換し、第二右前ブロックＡ２の電極を負極に転換する。その中でも第一右前ブロックＡ１の中の電極１、２、３を正極に転換し、第二右前ブロックＡ２の中の電極４、５、６を負極に転換することが好ましい。電流ルートＭ１５は左手のひらが痺れる症状を緩和することができる。
【００４１】
電流ルートＭ１６（図４Ｃ）：左後ブロックＡ８の電極を正極に転換し、中左ブロックＡ７の電極を負極に転換する。その中でも左後ブロックＡ８の中の電極２９、３０、３３、３４を正極に転換し、中左ブロックＡ７の中の電極３７、３8を負極に転換することが好ましい。電流ルートＭ１６は右足が痛む症状を緩和することができる。
【００４２】
電流ルートＭ１７（図４Ｃ）：右後ブロックＡ４の電極を正極に転換し、中右ブロックＡ３の電極を負極に転換する。その中でも右後ブロックＡ４の中の電極７、8、１１、１２を正極に転換し、中右ブロックＡ４の中の電極１５、１６を負極に転換することが好ましい。電流ルートＭ１７は左足が痛む症状を緩和することができる。
【００４３】
電流ルートＭ１8（図４Ｂ）：中右ブロックＡ３及び中左ブロックＡ７の電極を正極に転換し、右後ブロックＡ４の電極及び左後ブロックＡ８の電極を負極に転換する。その中でも中右ブロックＡ３の中の電極１７、１8及び中左ブロックＡ７の中の電極４０、３９を正極に転換し、右後ブロックＡ４の中の電極７、１１及び左後ブロックＡ８の中の電極２９、３３を負極に転換することが好ましい。電流ルートＭ１8は尾椎が痛む症状を緩和することができる。
【００４４】
電流ルートＭ１９（図４Ａ）：中右ブロックＡ３及び中左ブロックＡ７の電極を正極に転換し、右後ブロックＡ４の電極及び左後ブロックＡ８の電極を負極に転換する。その中でも中右ブロックＡ３の中の電極２０、２２及び中左ブロックＡ７の中の電極４２、４４を正極に転換し、右後ブロックＡ４の中の電極8、１２及び左後ブロックＡ８の中の電極３０、３４を負極に転換することが好ましい。電流ルートＭ１９は仙椎が痛む症状を緩和することができる。
【００４５】
電流ルートＭ２０(図４Ｃ)：第一右前ブロックＡ１及び第二右前ブロックＡ２の電極を正極に転換し、第一左前ブロックＡ５の電極及び第二左前ブロックＡ８の電極を負極に転換する。その中でも第一右前ブロックＡ１の中の電極１、２、３及び第二右前ブロックＡ２の中の電極４、５、６を正極に転換し、第一左前ブロックＡ５の中の電極２３、２４、２５及び第二左前ブロックＡ８の中の電極２６、２７、２8を負極に転換することが好ましい。電流ルートＭ１8は顔面神経痛の症状を緩和することができる。
【産業上の利用可能性】
【００４６】
本発明の脳部ヘルスケア装置１００における電極１２０（電極１〜４４）の極性変化は上記のとおりである。電極１２０の極性変化を通じて、電流のルートを調整して大脳の特定部分を経過させることによって、異なる症状を緩和する効果を有効に奏する。本発明は経頭蓋直流電気刺激法を痛むなどの症状に応用される際に、治療中の補助として患者と痛みを緩和することができる役割がある。
【００４７】
本出願に係る発明は上記のとおりにを説明した。ただし、前記実施内容は本発明の特許の権利範囲を限定する目的ではない。特許の権利範囲は添付の特許の請求範囲およびそれの実質的に同じ範囲によって定めるべきである。本技術分野の一般的な知識を持つ技術者は、本発明の主旨や範囲を離脱しない限りに行った変更や調整は、本発明の創作精神に基づいて成し得た同一の効果の変更や設計であり、下記の特許請求の範囲内と見なされるべきである。
【００４８】
１〜４４  電極
１００  脳部ヘルスケア装置
１１０  帽体
１２０  電極
Ａ１  第一右前ブロック
Ａ２  第二右前ブロック
Ａ３  中右ブロック
Ａ４  右後ブロック
Ａ５  第一左前ブロック
Ａ６  第二左前ブロック
Ａ７  中左ブロック
Ａ８  左後ブロック
【図１】
2019118795.tif 000003
【図２】
2019118795.tif 000004
【図３Ａ】
2019118795.tif 000005
【図３Ｂ】
2019118795.tif 000006
【図４Ａ】
2019118795.tif 000007
【図４Ｂ】
2019118795.tif 000008
【図４Ｃ】
2019118795.tif 000009